(57)【特許請求の範囲】
【請求項１】
鍵盤装置に取り付けられたとき、回動支点を中心に先端部が回動し、鍵として機能する鍵構造体であって、
前記回動支点が後端部に設けられた樹脂部と、
前記回動支点と前記先端部との間であって長手方向における中間部に設けられた木質部とを有し、
前記木質部は、中実であり、前記樹脂部の上に位置し、その前面が樹脂で覆われると共に、その上面には樹脂で覆われた操作面が形成されていることを特徴とする鍵構造体。
【請求項２】
鍵ベース体と演奏操作部とから構成され鍵として機能する鍵構造体を複数有して成る鍵盤装置であって、
前記鍵ベース体は、回動支点と他要素係合部とを含んで樹脂で一体に形成した樹脂部材で成ると共に、
前記複数の各鍵構造体は、前記鍵ベース体と前記演奏操作部とを一体に結合して構成され、
前記各鍵構造体の前記演奏操作部は、少なくとも一部が演奏時に外観となって視認されるように配設された木質部を有し、
前記木質部は、中実であり、前記鍵ベース体の上に位置し、その前面が樹脂で覆われると共に、その上面には樹脂で覆われた操作面が形成されていることを特徴とする鍵盤装置。
【請求項３】
前記鍵構造体の上方に配設された目隠し部を備え、前記演奏操作部は、前記目隠し部より後方まで延設されていることを特徴とする請求項２記載の鍵盤装置。
【発明の詳細な説明】
【０００１】
【発明の属する技術の分野】
本発明は、木質部を有する鍵に適用される鍵構造体及び鍵盤装置に関する。
【０００２】
【従来の技術】
従来、質感向上等のため、鍵として機能する鍵構造体に木材を採用することが行われている。また、このような鍵構造体を鍵として複数有して成る鍵盤装置も知られている。
【０００３】
【発明が解決しようとする課題】
しかしながら、従来、木質系の鍵構造体としては、その入手性から、アコースティックピアノ用の木製鍵が流用される場合が多く、長手方向の長さが長いだけでなく、重量もかさむという問題があった。
【０００４】
また、鍵構造体には回動支点が必要となるが、アコースティックピアノ鍵の場合は、通常、回動支点が鍵構造体の長手方向における途中に設けられ、いわゆるシーソー型の鍵として構成されるため、回動支点が後端部に設けられる鍵に比し、回動支点より後方部分の長さ分だけ長手方向の長さが長くなり、鍵構造体が一層長大化する一因になっている。
【０００５】
さらに、鍵構造体には通常、質量体や鍵スイッチ等の他要素を駆動、乃至他要素と係合するための係合部が設けられる。しかしながら、これら係合部が木質であると、木工加工精度の問題で、駆動部に高精度を要求できない。その一方、鍵構造体を、回動支点や上記係合部を含んで樹脂等で一体に形成した場合は、木質感が全く得られないだけでなく、木製鍵に比べれば鍵としての剛性が低いことから、タッチ感にも悪影響が及びがちである。
【０００６】
本発明は上記従来技術の問題を解決するためになされたものであり、その第１の目的は、鍵に木質感を付与しつつ、長手方向における小型化及び軽量化を図ることができる鍵構造体を提供することにある。
【０００７】
また、本発明の第２の目的は、鍵に木質感を付与しつつ、鍵機能の精度を維持すると共に、剛性を高めることができる鍵盤装置を提供することにある。
【０００８】
【課題を解決するための手段】
上記第１の目的を達成するために本発明の請求項１の鍵構造体は、鍵盤装置に取り付けられたとき、回動支点を中心に先端部が回動し、鍵として機能する鍵構造体であって、前記回動支点が後端部に設けられた樹脂部と、前記回動支点と前記先端部との間であって長手方向における中間部に設けられた木質部とを有し、前記木質部は、中実であり、前記樹脂部の上に位置し、その前面が樹脂で覆われると共に、その上面には樹脂で覆われた操作面が形成されていることを特徴とする。
【０００９】
この構成によれば、鍵に木質感を付与しつつ、長手方向における小型化及び軽量化を図ることができる。
【００１０】
第２の目的を達成するために本発明の請求項２の鍵盤装置は、鍵ベース体と演奏操作部とから構成され鍵として機能する鍵構造体を複数有して成る鍵盤装置であって、前記鍵ベース体は、回動支点と他要素係合部とを含んで樹脂で一体に形成した樹脂部材で成ると共に、前記複数の各鍵構造体は、前記鍵ベース体と前記演奏操作部とを一体に結合して構成され、前記各鍵構造体の前記演奏操作部は、少なくとも一部が演奏時に外観となって視認されるように配設された木質部を有し、前記木質部は、中実であり、前記鍵ベース体の上に位置し、その前面が樹脂で覆われると共に、その上面には樹脂で覆われた操作面が形成されていることを特徴とする。
【００１１】
この構成によれば、鍵に木質感を付与しつつ、鍵機能の精度を維持すると共に、剛性を高めることができる。
【００１２】
また、請求項３の鍵盤装置は、上記請求項２記載の構成において、前記鍵構造体の上方に配設された目隠し部を備え、前記演奏操作部は、前記目隠し部より後方まで延設されていることを特徴とする。
【００１３】
この構成によれば、鍵ベース体と演奏操作部との境目が外部から見えないようにして外観を向上させることができる。
【００１４】
【発明の実施の形態】
以下、本発明の実施の形態を図面を参照して説明する。
【００１５】
図１は、本発明の一実施の形態に係る鍵構造体を含む鍵盤装置の断面図である。
【００１６】
鍵構造体１００は鍵として機能し、同図はＢ鍵とＣ鍵との間で切断した断面を示す。従って、同図では、Ｂ鍵である鍵構造体１００については、奏者からみて右側面図が表されている。鍵構造体１００は、白鍵に適用されるが、黒鍵にも適用してもよい。なお、以降、本鍵盤装置や鍵構造体１００の奏者側を前方と呼称する。
【００１７】
鍵構造体１００は、鍵ベース体４０と鍵胴体部ＢＯＤ（演奏操作部）とが一体に結合して構成され、鍵胴体部ＢＯＤは、上板体５０と木製の木質部６０とから成る。上板体５０は、前部５０ａと、鍵操作面を提供する上板部５０ｂとが樹脂で一体に形成されて成る。木質部６０は、上板体５０の上板部５０ｂとほぼ同じ長さを有し、上板部５０ｂ及び前部５０ａに接着されることで、上板体５０に結合されて、これにより鍵胴体部ＢＯＤが構成される。
【００１８】
鍵ベース体４０は、基端部４０ａと、該基端部４０ａから前方に延設された延設部４０ｂとが樹脂部材で一体に形成されて成り、さらに延設部４０ｂには、いずれも「他要素係合部」である被キーガイド部４２、質量体駆動部４３、鍵アクチュエータ４４及び鍵脱落防止機構部４５が一体に形成されている。延設部４０ｂは、上記鍵胴体部ＢＯＤの長手方向に略平行に、上板体５０の前部５０ａまで延びている。基端部４０ａは、鍵構造体１００の後端部にも相当する。基端部４０ａの後部には回動支点４１が設けられ、鍵構造体１００は、回動支点４１を中心として上下方向に回動自在になっている。質量体駆動部４３の下端部には、円滑な摺動を確保するためのすべり部材４６が装着されている。
【００１９】
一方、鍵構造体１００の下方には、各鍵構造体１００に対応して質量体７１が配設される。質量体７１の被駆動部７１ａは、押鍵操作に応じて、鍵ベース体４０の質量体駆動部４３を介してすべり部材４６に駆動される。これによって、質量体７１が質量体回動軸７２を中心に回動することで、適当な押鍵感触が与えられる。また、本鍵盤装置には、それぞれ２メイク式の第１鍵スイッチ７３、第２鍵スイッチ７４が設けられる。第１鍵スイッチ７３は、鍵ベース体４０の鍵アクチュエータ４４によって押圧駆動されて、鍵動作を検出する。第２鍵スイッチ７４は、質量体７１に設けられた鍵アクチュエータ７１ｂによって押圧駆動されて、鍵動作を検出する。両鍵スイッチ７３、７４が異なるタイミングでオフタッチを含む鍵動作を検出することから、これらの検出結果を基に多彩な楽音制御が可能となっている。
【００２０】
本鍵盤装置にはまた、鍵動作ガイド７５及び係合部７７が設けられる。鍵構造体１００の被キーガイド部４２は、鍵操作時には、鍵動作ガイド７５に案内されて、これにより、鍵構造体１００の鍵並び方向（鍵構造体１００の左右方向）への揺動が抑制される。鍵脱落防止機構部４５は、係合部７７と係合して、鍵操作時における鍵構造体１００の主として前方への脱落を防止する。
【００２１】
図２は、鍵構造体１００の各位置での断面を示す図である。同図（ａ）〜（ｆ）はそれぞれ、図１のＡ−Ａ線〜Ｆ−Ｆ線に沿う断面図である。なお、図２はＢ鍵を例示しているので、隣接する黒鍵（Ｇ＃鍵）が配設されるための逃げ部を有することから、鍵構造体１００の幅は、同図（ｂ）〜（ｆ）では奏者からみた左側（側面１００ａ側）が狭くなっている。
【００２２】
図２（ａ）に示すように、鍵構造体１００は、上板体５０の上板部５０ｂと鍵ベース体４０とで木質部６０を挟み込むようにして構成される。鍵ベース体４０の延設部４０ｂの上部には、前部から、延設部４０ｂと基端部４０ａとの接続部近傍に亘って突条部４０ｃが形成される。また、木質部６０には、突条部４０ｃに嵌合的な形状をした溝状凹部６０ｃが形成されている。そして、まず、鍵胴体部ＢＯＤを作成してから、木質部６０の溝状凹部６０ｃに延設部４０ｂの突条部４０ｃを嵌合させ、木質部６０と延設部４０ｂとを接着することで、鍵構造体１００が構成される。
【００２３】
木質部６０は、鍵構造体１００に木質感を付与する役割を果たす。すなわち、押鍵時には、押鍵鍵の隣の鍵の側面の一部が奏者から見えるが、木製の木質部６０を鍵構造体１００の側面１００ａ、１００ｂに配したことから、奏者にとっては、木質部６０の側面６０ａ、６０ｂが視認され、鍵構造体１００が上面や前面を除いて木材で構成されているかのように見える。これにより、鍵構造体１００に木質感が付与され、高級感が与えられる。
【００２４】
また、図１に示すように、本鍵盤装置には、鍵構造体１００の上方においてパネル部７６が設けられている。パネル部７６は、不図示の各種操作子や表示部を備えると共に、それより後方部分を目隠しする目隠し部としての役割も果たしている。ここで、木質部６０は、鍵胴体部ＢＯＤは、パネル部７６より後方まで延設されているので、鍵胴体部ＢＯＤと鍵ベース体４０の基端部４０ａとの境目が奏者からは見えないようになっており、外観を向上させている。
【００２５】
本実施の形態によれば、鍵構造体１００の後端部の回動支点４１と、鍵構造体１００の先端部に相当する上板体５０の前部５０ａとの間であって長手方向における中間部に木質部６０を設けたので、従来のように、アコースティックピアノ用の木製鍵を流用し、回動支点を長手方向における中間位置に設けてシーソー型の鍵として構成することなく、木質感が得られる。また、従来に比し、回動支点より後方部分の長さを短くすることができる。よって、鍵に木質感を付与しつつ、長手方向における小型化及び軽量化を図ることができる。
【００２６】
また、鍵ベース体４０は、回動支点４１と他要素係合部とを含んで樹脂で一体に形成した樹脂部材で成るので、これら他要素係合部を木質材で構成する場合に比し、容易に高精度が得られ、且つ形状の自由度も高い。しかも、従来のように、鍵構造体を、単に回動支点や他要素係合部を含んで樹脂等で一体に形成しただけであれば、木質感が全く得られないだけでなく、木製鍵に比べれば鍵としての剛性が低いことから、タッチ感にも悪影響が生じる。しかし、本実施の形態では、木質部６０が鍵構造体１００においていわゆる中詰まり状態となっていることから、高剛性が確保される。そして、高剛性により、各他要素係合部に押鍵力が正確に伝わるので、タッチ検出精度向上によるタッチ感向上につながる。また、鍵構造体１００の反り変形の抑制にも寄与する。よって、鍵に木質感を付与しつつ、鍵機能の精度を維持すると共に、剛性を高めることができる。
【００２７】
なお、鍵構造体１００の構成は例示したものに限られない。
【００２８】
図３は、鍵構造体の変形例を示す図である。同図（ａ）〜（ｄ）では、該変形例の図２（ａ）に対応する断面図を示す。
【００２９】
例えば、図３（ａ）の例では、上記上板部５０及び鍵ベース体４０に相当する部分が樹脂で一体に形成されている。すなわち、上板部１０ａと下板部１０ｃとが連結部１０ｂで連結され、断面形状は、「Ｈ」を横倒させた形になっている。この例では、木質部は木質部２０Ｌ、２０Ｒに分けて構成され、連結部１０ｂの両側に配設されることで、鍵構造体が構成される。
【００３０】
また、図３（ｂ）の例では、樹脂製の上板部３１から下方に向けて突条部３１ａを設ける一方、連結部３２ａと下板部３２ｂとを樹脂で一体に形成し、連結部３２ａの上部には突条部３１ａに嵌合的な溝状凹部３２ａａを設ける。そして、上板部３１の突条部３１ａを連結部３２ａの凹部３２ａａに接着嵌合させ、図３（ａ）の例と同様に木質部２０Ｌ、２０Ｒを配設することで、一体に結合した鍵構造体が構成される。
【００３１】
また、図３（ｃ）に示すように、２本の連結部３３ｂ、３３ｃで、上板部３３ａと下板部３３ｄ、３３ｅを連結するように樹脂で一体に形成してもよい。この場合は、両連結部３３ｂ、３３ｃ間に凹部３５が形成される。そして、上記木質部２０Ｌ、２０Ｒより薄い木質部３４Ｌ、３４Ｒが連結部３３ｂ、３３ｃの外側に配設されることで、鍵構造体が構成される。
【００３２】
また、図３（ｄ）に示すように、いずれも樹脂製の上板部３６と下板部３８とで木質部３７を上下方向から挟み、接着して、一体に結合した鍵構造体を構成してもよい。
【００３３】
なお、木質部の配設は黒鍵にも同様に適用してもよい。また、本実施の形態では、鍵構造体１００の両側面に木質部６０を配したが、演奏時に外観となって視認される部分の少なくとも一部に木質部６０を配すればよく、押鍵操作面である上面部を除いて両側面以外にも木質部６０を配してもよい。例えば、上板部５０の前部５０ａを削除し、鍵構造体１００の先端部からも木質部６０が視認されるようにしてもよい。一方、これとは逆に、鍵操作時において外観となって視認される部分だけに木質部６０を設けるようにしてもよい。すなわち、本実施の形態では、全白鍵用の鍵構造体１００の両側面の前部から後部に亘って木質部６０を配設したが、木質感を維持しつつコストを削減する観点からは、白鍵用の鍵構造体１００の両側面のうち、黒鍵が隣接しない部分においてのみ配設するようにしてもよい。
【００３４】
なお、木質感付与の観点からは、木質部は木材でなくても、木質系材であればよく、例えば、木目調の化粧板（印刷、コート、塗装、つき板等も含む）、合板、木質材（ＭＤＦ）等を採用してもよい。
【００３５】
なお、鍵ベース体４０は樹脂で構成したが、一体に形成される被キーガイド部４２等の他要素係合部の耐久性や性能が維持でき、且つ加工容易な材料であれば、他の材料、例えば金属で構成してもよい。また、すべての他要素係合部を鍵ベース体４０と一体に形成する必要は必ずしもなく、一部の他要素係合部についてのみ適用してもい。
【００３６】
【発明の効果】
以上説明したように、本発明の請求項１によれば、鍵に木質感を付与しつつ、長手方向における小型化及び軽量化を図ることができる。
【００３７】
本発明の請求項２によれば、鍵に木質感を付与しつつ、鍵機能の精度を維持すると共に、剛性を高めることができる。
【００３８】
また、請求項３によれば、鍵ベース体と演奏操作部との境目が外部から見えないようにして外観を向上させることができる。
【図面の簡単な説明】
【図１】  本発明の一実施の形態に係る鍵盤装置の断面図である。
【図２】  鍵構造体の各位置での断面を示す図である。
【図３】  鍵構造体の変形例を示す図である。
【符号の説明】
１００  鍵構造体、  ４０  鍵ベース体、  ４０ａ  基端部（後端部）、  ４０ｂ  延設部、  ４１  回動支点、  ４２  被キーガイド部（他要素係合部の一部）、  ４３  質量体駆動部（他要素係合部の一部）、  ４４  鍵アクチュエータ（他要素係合部の一部）、  ４５  鍵脱落防止機構部（他要素係合部の一部）、  ５０  上板体、  ５０ａ  前部（先端部）、  ５０ｂ  上板部、  ６０  木質部、  ７６  パネル部（目隠し部）、  ＢＯＤ  鍵胴体部（演奏操作部）
【図１】
0003758590.tif 000002
【図２】
0003758590.tif 000003
【図３】
0003758590.tif 000004